(57)【要約】      （修正有）【課題】柄模様の装飾層が形成された人工爪チップに、種々の宝石を交換可能に取り付けることができる人工爪を提供する。【解決手段】柄模様が形成された装飾層を有する人工爪チップ２と、人工爪チップ２に形成された宝石３の下部が差し込まれる取付け孔と、頭部閉鎖の筒状本体と、筒状本体に形成した長さ方向の開閉動作可能な複数の固定脚と、を有する固定部材６とを備え、取付け孔上に配置された宝石３の下面に、筒状本体の上端が接合された状態で固定部材６が取り付け孔に挿入され、固定脚が拡開されて人工爪チップ２の裏面に当接する宝石固定構造を有することを特徴とする。【選択図】図２
0003204176.tif 000002
【実用新案登録請求の範囲】
【請求項１】
柄模様が形成された装飾層を有する人工爪チップと、
前記人工爪チップに形成された宝石の下部が差し込まれる取付け孔と、
頭部閉鎖の筒状本体と、前記筒状本体に形成した長さ方向の開閉動作可能な複数の固定脚と、を有する固定用部材とを備え、
前記取付け孔上に配置された宝石の下面に、前記筒状本体の上端が接合された状態で前記固定用部材が前記取り付け孔に挿入され、前記固定脚が拡開されて前記人工爪チップの裏面に当接する宝石固定構造を有することを特徴とする人工爪。
【請求項２】
前記柄模様が形成された装飾層が着物生地又は帯布地を用いたものであることを特徴とする請求項１に記載の人工爪。
【請求項３】
前記取付け孔上に配置された宝石は、宝石台座に固定されたものであることを特徴とする請求項１に記載の人工爪。
【請求項４】
前記宝石台座は、金、プラチナ、白金、銀からなる群から選ばれたいずれか１種であることを特徴とする請求項３に記載の人工爪。
【請求項５】
前記固定用部材は、金、プラチナ、白金、銀からなる群から選ばれたいずれか１種であることを特徴とする請求項１乃至４のいずれか１項に記載の人工爪。
【考案の詳細な説明】
【技術分野】
【０００１】
本考案は、チップに装飾を施した人工爪に係り、より詳しくは、華麗な柄模様が施されたチップを破損させることなく交換可能に宝石を取り付けた人工爪に関する。
【背景技術】
【０００２】
今日、ネイルアートと呼ばれる分野において、女性が爪の上に装飾した人工爪を取り付けて楽しむ方法が多く採用されている。例えば、特許文献１に開示の「簡単ネイル型」はスカルプチャー方式で簡単に人工爪を生爪の上に生成するもの、特許文献２に開示のＡＢＳ樹脂、ＰＥＴ樹脂、アクリル樹脂等の材料で形成されたチップと呼ばれる人工爪を生爪の上に貼り付けて使用するものがあり、ネイルアートではこのようなスカルプチャーと、人工爪チップを用いたものを人工爪と総称している。
【０００３】
こうしたネイルアートの分野では、高級化、高額化への嗜好が進み、デザイン性に優れた装飾、ペイントを施したり、ダイヤモンド、エメラルド等の高価な宝石を指輪感覚で取り込むことが行われ、結婚式の高級感を演出したりするダイヤモンド・ネイルやブライダル・ネイル等が盛況になってきている。
【０００４】
宝石を取り付けた人工爪に関しては、宝石を直接人工爪に接着剤で張り付けるもの（例えば、特許文献３参照）が提案されている。
しかしながら、このような宝石取付け人工爪では、宝石を別の人工爪に付け替える場合、元の人工爪チップを溶解等により破壊して宝石を回収し、その後、別のチップに宝石を接着する必要があり、お気に入りのデザイン、装飾の人工爪チップについては、種々の宝石を付け替えて楽しむことができないという問題があった。
【０００５】
そのため、宝石の付け替え可能なチップについては、宝石の固定ピン用の穴を人工爪のチップに４ヶ所開けて宝石を付け替え可能にした宝石取付け人工爪が提案されている（例えば、特許文献４参照）。
しかしながら、特許文献４に記載された方法では、宝石の周囲を抑える固定ピンであるため、宝石のサイズが変われば人工爪チップに開けた固定ピン用の穴を付け替える必要があることや、固定ピンの太さによっては、人工爪と生爪の間に必要以上の隙間が生じたり、厚さの厚い人工爪チップを使用せざるを得ないという問題があった。
【先行技術文献】
【特許文献】
【０００６】
【特許文献１】特開２００４−１９５１７０号公報
【特許文献２】特開２００５−２９６６５０号公報
【特許文献３】特開２００９−２３３２９１号公報
【特許文献４】特開２００７−２０８２４２号公報
【考案の開示】
【考案が解決しようとする課題】
【０００７】
本考案は、上記従来技術の問題点に鑑みてなされたものであって、本考案の目的は、柄模様の装飾層が形成された人工爪チップに、種々の宝石を交換可能に取り付けることができる人工爪を提供することにある。
【課題を解決するための手段】
【０００８】
上記目的を達成するためになされた本考案の一態様による人工爪は、柄模様が形成された装飾層を有する人工爪チップと、前記人工爪チップに形成された宝石の下部が差し込まれる取付け孔と、頭部閉鎖の筒状本体と、前記筒状本体に形成した長さ方向の開閉動作可能な複数の固定脚と、を有する固定用部材とを備え、前記取付け孔上に配置された宝石の下面に、前記筒状本体の上端が接合された状態で前記固定用部材が前記取り付け孔に挿入され、前記固定脚が拡開されて前記人工爪の裏面に当接する宝石固定構造を有することを特徴とする。
【０００９】
前記柄模様を有する装飾層は、着物生地又は帯布地を用いた層であることが好ましい。
また、前記取付け孔上に配置された宝石は、宝石台座に固定されたものであることが好ましく、前記宝石台座は、金、プラチナ、白金、銀からなる群から選ばれたいずれか１種であることが好ましい。
また、前記固定用部材は、金、プラチナ、白金、銀からなる群から選ばれたいずれか１種であることが好ましい。
【考案の効果】
【００１０】
本考案の人工爪によれば、豪華な装飾層を有するチップに宝石を取り付けて高級感のある宝石取付け人工爪を楽しむことができるばかりでなく、時々の気分や目的に合わせて、種々の装飾されたチップと種々の宝石との組み合わせを容易にコーディネートすることができ、その時々の嗜好に合わせて人工爪のおしゃれを楽しむことができる。
また、宝石の大きさに関わらず所定の大きさの固定用部材を用いて宝石を固定できるので、宝石に合わせて装飾の施されたチップを用意することは必要なく、容易に装飾されたチップと宝石とをコーディネートすることができる。
また、人工爪に装着する宝石に台座を設けることにより、チップに施された装飾層の色彩に影響されることなく宝石の輝きを楽しむことができる。
また、人工爪チップに固定ピンを打ち込んで固定する方法に比べ、人工爪チップの厚みが薄いものでよく、更に、人工爪チップの裏面は固定部材の固定脚が拡開した状態となっており、生爪と人工爪チップとの間隙が狭く厚ぼったい印象を与えることがなく、スマートな人工爪を楽しむことができる。
【図面の簡単な説明】
【００１１】
【図１】本考案の一実施形態に係る人工爪の例示図である。
【図２】図１の断面概略図である。
【図３】本考案の一実施形態に係る人工爪の構成を説明するための、宝石取付け前の人工爪の分解概略図である。
【図４】本考案の一実施形態に係る人工爪の宝石を取り付けた裏面側からの概略平面図である。
【考案を実施するための形態】
【００１２】
本考案の人工爪は、人工爪チップを用いるものであり、人工爪チップは、例えば金属や、ガラスを含むセラミックスなどの無機材料、天然樹脂、合成樹脂などの有機材料を用い生爪のように湾曲する形状に形成されたものであり、有機材料としては、例えば、ＡＢＳ樹脂、ポリカーボネート混合ＡＢＳ樹脂、ＰＥＴ樹脂、アクリル樹脂、や、これらの樹脂を熱や酸素、光に対して安定化、硬度調整など改質した合成樹脂材のチップがより好適である。カーボンファイバーと光硬化性ポリエステル樹脂との混合又は積層型で押出成型によるチップも使用できる。
【００１３】
本考案の人工爪は、人工爪チップに柄模様が形成された装飾層を有することが好ましく、帯布地や着物の柄布地などの和服、和装品の柄模様が特に好ましく、豪華で華麗な人工爪を楽しむことができる。
人工爪チップに柄模様を形成する方法は特に限定されるものではないが、例えば、台座となるチップ上に和装品布地の端切れなどを貼り付けて、表面にクリアな保護層を設ける方法や、金型中に柄模様の材料を挿入して射出成型で形成する方法や、柄模様の材料を含む複数層を貼り合わせる方法などが挙げられる。
【００１４】
本考案は、上述の柄模様を施した装飾層を有するような、デザイン性に優れた人工爪チップに更に宝石を装着する場合に、人工爪チップを溶解、破壊することなく簡便に宝石の付け替えができるようにした宝石固定構造を有する人工爪に関する。
本考案の実施の形態を以下に図を参照して説明するが、本考案はこれに限定されるものではない。
図１は、本考案の一実施形態に係る人工爪１の例示図であり、図２は、図１の断面概略図であり、図３は、本考案の一実施形態に係る人工爪１の構成を説明するための、宝石取付け前の人工爪１の分解概略図であり、図４は、本考案の一実施形態に係る人工爪１の宝石３を取り付けた裏面側からの概略平面図である。
【００１５】
図１〜４に示すように、本実施形態に係る人工爪１は、第１チップ層２ａと第２チップ層２ｂからなる人工爪チップ２、人工爪チップ２に設けられた取付け孔５、宝石台座４に固定された宝石３、宝石３を人工爪チップ２に固定するための、筒状本体７と固定脚８を有する固定部材６からなる。
人工爪チップ２の第１チップ層２ａは、透明樹脂によって形成された保護層であり、第２チップ層２ｂは、柄模様が形成された装飾層である。
【００１６】
固定部材６は、上端部が閉鎖された円筒状の筒状本体７と、筒状本体７の開口した円筒下端部に設けられ、円筒部に複数の切り込みを設けられた固定脚８からなり、筒状本体７の頭部閉鎖の上端部は、宝石３もしくは宝石台座４に接合され、筒状本体７の下端部の固定脚８は、人工爪チップ２に設けられた取付け孔５に挿入され、人工爪チップ２の裏面で複数の切り込みに沿って拡開される。
図４は、宝石３を取り付けた人工爪チップ２の裏面側から見た平面図であるが、図４に示すように、固定脚８が拡開されて宝石３が固定される。
【００１７】
固定部材６に用いる材料は、宝石３の固定安定性の点から金属であることが好ましく、宝石３、宝石台座４とのマッチングから金、プラチナ、白金、銀であることが更に好ましい。
宝石３もしくは宝石台座４と筒状本体７の接合は、接着剤を用いて行うことができ、接着する筒状本体７の頭部閉鎖の上端部は、接着面積増大のために宝石３もしくは宝石台座４の大きさに合わせて拡張されていてもよい。
宝石３もしくは宝石台座４と筒状本体７の接合に用いる接着剤は、それぞれの材質に応じて公知の接着剤から選定して用いることができる。例えば、アクリル系、ウレタン系、エポキシ系、オレフィン系、ＮＢＲ系、ＳＢＲ系、クロロプレンゴム系、酢酸ビニル系、シアノアクリレート系、フェノール樹脂系、メラミン樹脂系などの各種既存の接着剤が挙げられる。
【００１８】
固定脚８に設けられた切り込みの形状は特に限定されるものではないが、三角形状の切り込みとすることが、材料使用量と強度のバランスから好ましく、切り込みの長さは、使用材料の種類、厚み等から適宜決定される。
筒状本体７の円筒厚み及び固定脚８の厚みは、使用材料の種類、切り込みの長さに合わせて適宜決定されるが、通常、０．０５〜０．５ｍｍである。
取り付け孔５の直径は、取り付ける宝石の大きさに合わせて任意に決められるが、通常、０．５〜３．０ｍｍである。筒状本体７の円筒外径は取り付け孔５の直径と略同等のサイズとすることが、取り付けた宝石３のぐらつき等を防止するうえで好ましい。
【００１９】
取り付け孔５は、宝石３もしくは宝石台座４との当接部が宝石３、宝石台座４の形状に合わせて彫り込まれていてもよい。これにより宝石３が人工爪チップ２に埋め込まれた形態となる。
取り付け孔５を設けるには、マイクロドリル等の穿孔器具を用いることができ、マイクロドリルは、少なくとも回転数３０００〜１３０００ｒｐｍ．の範囲で無段階に調節が可能な回転軸、回転軸にチャックやコレットを介して軸径３００μｍ以下の先端工具を交換可能なマイクロドリルであれば特に限定されずに用いることができる。
【００２０】
本考案の人工爪１において、宝石３は人工爪チップ２に直接取り付けてもよいが、人工爪チップ２の装飾層の影響を除去して宝石３の反射光を楽しむ上では宝石台座４を用いることが好ましい。宝石台座４の材料としては、高価な宝石とのマッチングの点で、金、プラチナ、白金、銀等の金属を用いることが好ましい。
用いる宝石３は、装飾品一般に使用されるものであれば特に限定されるものではなく、例えば、真珠のような非透光性の宝石、ダイヤモンド、エメラルド、サファイア、ルビー、オパール、ガーネット、アメジスト、アクアマリン、トパーズ等のような透光性を有する宝石を挙げることができる。宝石３のサイズは、最大外形サイズ（ガードル径又は辺長）が１ｍｍ以上、７ｍｍ以下が好ましく、２ｍｍ以上、５ｍｍ以下がより好ましい。この範囲を超えると人工爪チップ２への宝石３の取り付けや固定が困難となる場合や、宝石３を取付けた人工爪１からの脱離のおそれがある。
【００２１】
本実施形態における人工爪チップ２は、例えば金属や、ガラスを含むセラミックスなどの無機材料、天然樹脂、合成樹脂などの有機材料を用い生爪のように湾曲する形状に形成されたものであれば特に限定されず、既製、市販のチップを用いても良い。
宝石３を取付けた人工爪１が破損、劣化したり、または人工爪チップ２のデザインを変える場合などにおいては、人工爪チップ２に設けられた取り付け孔５から高価な宝石３を取り外し、容易に他のチップへの付け替えが可能である。
【００２２】
以下、本考案を実施例により説明する。
〔実施例〕
金型内に和服帯の表地を入れ、射出成型機を用いてポリエチレンテレフタレート（ＰＥＴ樹脂）を原料ペレットとしてモールド成形し、和服帯の表地を装飾層２ｂとした人工爪チップ２を作製した。
作製した人工爪チップ２に小型ペンタイプのマイクロドリルを用いて直径１．５ｍｍの取付け孔５を穿孔した。
円筒外径１．４５ｍｍ、円筒厚み０．７ｍｍ、切り込み長さ３ｍｍのプラチナ製の固定部材６をロストワックス成形し、作製した固定部材６を略径２．５ｍｍのルビーをプラチナ台に装着した台座付き宝石の底部に２液性エポキシ樹脂系接着剤を用いて接合した。
人工爪チップ２に設けた取付け孔５に宝石台座４に接合した固定部材６を挿入し、人工爪チップ２の裏側で固定部材６の固定脚８を拡開して、人工爪１を作製した。
作製した人工爪１は、豪華な柄の和服帯の表地を表面に配しルビーを配した人工爪であり、華麗で豪華なネイルアートのおしゃれを楽しむことができる。
【符号の説明】
【００２３】
１  ・・・人工爪
２  ・・・人工爪チップ
２ａ  ・・・第１チップ層
２ｂ  ・・・第２チップ層（装飾層）
３  ・・・宝石
４  ・・・宝石台座
５  ・・・取付け孔
６  ・・・固定部材
７  ・・・筒状本体
８  ・・・固定脚
【図１】
0003204176.tif 000003
【図２】
0003204176.tif 000004
【図３】
0003204176.tif 000005
【図４】
0003204176.tif 000006